(57)【要約】      （修正有）【課題】持込顔画像データの適否判定を容易に行なうことができるＩＤカード作成システムを提供する。【解決手段】ＩＤカード作成システム１０は、申請者を直接撮像する直接撮像部１２、顔画像付申請書が投入される申請書投入部１１、申請書投入部１１に投入された顔画像付申請書の顔画像を撮像する申請書撮像部１３、または持込顔画像データが入力される顔画像データ入力部１７、旧ＩＤカードのＩＣチップから読取顔画像データを読み取る顔画像データ読取部２４、ホストサーバ３０からホストサーバ読取顔画像データを読取るホストサーバ顔画像データ読取部２８、を備えている。直接撮像部１２からの直接顔画像データと、顔画像データ読取部２４からの読取顔画像データと、ホストサーバ顔画像データ読取部２８からのホストサーバ読取顔画像データと制御部２１の判定部２１ａにおいて比較され、持込顔画像データの適否が判定される。【選択図】図１
2014083704.tif 000002
【特許請求の範囲】
【請求項１】
ＩＣチップを含むＩＤカードを更新して作成するＩＤカード作成システムにおいて、
文字及び顔画像を含む顔画像付申請書が投入される申請書投入部と、
ＩＣチップを含む旧ＩＤカードのＩＣチップからＩＣチップ読込顔画像データを読取るＩＣチップ顔画像データ読取部と、
ホストサーバからホストサーバ読取顔画像データを読取るホストサーバ顔画像データ読取部と、
申請者を撮像して直接顔画像データを取得する直接撮像部と、
申請書投入部に投入された顔画像付申請書の顔画像を撮像して持込顔画像データを取得する申請書撮像部、または持込顔画像データが直接入力される顔画像データ入力部と、
申請書撮像部または顔画像データ入力部のいずれか、ＩＣチップ顔画像データ読取部、ホストサーバ顔画像データ読取部および直接撮像部に接続された制御部と、
制御部に接続された表示部とを備え、
制御部は申請書撮像部または顔画像データ入力部からの持込顔画像データと、ＩＣチップ顔画像データ読取部からのＩＣチップ読込顔画像データまたはホストサーバ顔画像データ読取部からのホストサーバ読取顔画像データと、直接撮像部からの直接顔画像データとを比較して持込顔画像データの適否判定を行なう判定部と、判定部からの情報により持込顔画像データが適切であると判断した場合に表示部に持込顔画像データを表示し、持込顔画像データが真実であるが不適切であると判断した場合に表示部に直接顔画像データを表示する表示制御部とを有することを特徴とするＩＤカード作成システム。
【請求項２】
ＩＣチップを含むＩＤカードを更新して作成するＩＤカード作成システムにおいて、
文字及び顔画像を含む顔画像付申請書が投入される申請書投入部と、
ＩＣチップを含む旧ＩＤカードのＩＣチップからＩＣチップ読込顔画像データを読取るＩＣチップ顔画像データ読取部と、
ホストサーバからホストサーバ読取顔画像データを読取るホストサーバ顔画像データ読取部と、
申請者を撮像して直接顔画像データを取得する直接撮像部と、
申請書投入部に投入された顔画像付申請書の顔画像を撮像して持込顔画像データを取得する申請書撮像部、または持込顔画像データが直接入力される顔画像データ入力部と、
申請書撮像部または顔画像データ入力部のいずれか、ＩＣチップ顔画像データ読取部、ホストサーバ顔画像データ読取部および直接撮像部に接続された制御部と、
制御部に接続された表示部とを備え、
制御部は申請書撮像部または顔画像データ入力部からの持込顔画像データと、ＩＣチップ顔画像データ読取部からのＩＣチップ読込顔画像データまたはホストサーバ顔画像データ読取部からのホストサーバ読取顔画像データとを比較して持込顔画像データの適否判定を行なう判定部と、判定部からの情報により持込顔画像データが適切であると判断した場合に表示部に持込顔画像データを表示し、持込顔画像データが不適切であると判断した場合に直接撮像部を作動させて直接顔画像データを取得するとともに、当該直接顔画像データを表示部に表示する表示制御部とを有することを特徴とするＩＤカード作成システム。
【請求項３】
制御部には操作信号を出力する操作部が接続され、
制御部は操作部からの操作信号に基づいて持込顔画像データまたは直接顔画像データを修正する修正部を更に有することを特徴とする請求項１または２記載のＩＤカード作成システム。
【発明の詳細な説明】
【技術分野】
【０００１】
本発明は、ＩＣチップを有するＩＣカード等のＩＤカードを作成するためのＩＤカード作成システムに係り、とりわけ、申請者が希望する顔画像を採用することが可能なＩＤカード作成システムに関する。
【背景技術】
【０００２】
身分証明証などの身分確認時に用いられるＩＤカードとして、電子情報が記録されたＩＣチップを有するＩＣカードが知られている。このようなＩＣカードには、例えば、氏名、住所などの文字、会員番号や個人を識別できる数字等が印字されている。
【０００３】
このようなＩＣカードを更新する場合、申請場所において申請者は予め申請書に必要事項を記入して提出するとともに、更新前の旧ＩＣカードを提出する。また必要に応じて申請者の顔画像をカメラにより撮像する。
【０００４】
この場合、申請者は申請場所においてカメラにより顔画像が撮像されるが、申請者によっては自分が希望する顔画像を予め入手するとともにこれを持込み、この持込んだ顔画像の採用を希望する場合がある。
【０００５】
現在、申請者が顔画像を持込んだ場合、申請場所において職員が、申請者が持込んだ顔画像と、旧ＩＣカードに印刷された顔画像と、申請者の顔を見比べて、申請者が持込んだ顔画像の真偽を確認するとともに、申請者の本人確認を行なっている。
【０００６】
しかしながら、申請場所において職員が、申請者が持込んだ顔画像と、旧ＩＣカードに印刷された顔画像と、申請者の顔を見比べる作業は容易ではなく、長時間を要しているのが実情である。
【先行技術文献】
【特許文献】
【０００７】
【特許文献１】特開平８−９９４８７号公報
【特許文献２】特開２００３−２８７７８４号公報
【発明の概要】
【発明が解決しようとする課題】
【０００８】
本発明はこのような点を考慮してなされたものであり、申請者が顔画像データを予め準備するとともにこれを持込んだ場合、当該持込顔画像データの適否判定を容易に行なうことができるＩＤカード作成システムを提供することを目的とする。
【課題を解決するための手段】
【０００９】
本発明は、ＩＣチップを含むＩＤカードを更新して作成するＩＤカード作成システムにおいて、文字及び顔画像を含む顔画像付申請書が投入される申請書投入部と、ＩＣチップを含む旧ＩＤカードのＩＣチップからＩＣチップ読込顔画像データを読取るＩＣチップ顔画像データ読取部と、ホストサーバからホストサーバ読取顔画像データを読取るホストサーバ顔画像データ読取部と、申請者を撮像して直接顔画像データを取得する直接撮像部と、申請書投入部に投入された顔画像付申請書の顔画像を撮像して持込顔画像データを取得する申請書撮像部、または持込顔画像データが直接入力される顔画像データ入力部と、申請書撮像部または顔画像データ入力部のいずれか、ＩＣチップ顔画像データ読取部、ホストサーバ顔画像データ読取部および直接撮像部に接続された制御部と、制御部に接続された表示部とを備え、制御部は申請書撮像部または顔画像データ入力部からの持込顔画像データと、ＩＣチップ顔画像データ読取部からのＩＣチップ読込顔画像データまたはホストサーバ顔画像データ読取部からのホストサーバ読取顔画像データと、直接撮像部からの直接顔画像データとを比較して持込顔画像データの適否判定を行なう判定部と、判定部からの情報により持込顔画像データが適切であると判断した場合に表示部に持込顔画像データを表示し、持込顔画像データが真実であるが不適切であると判断した場合に表示部に直接顔画像データを表示する表示制御部とを有することを特徴とするＩＤカード作成システムである。
【００１０】
本発明は、ＩＣチップを含むＩＤカードを更新して作成するＩＤカード作成システムにおいて、文字及び顔画像を含む顔画像付申請書が投入される申請書投入部と、ＩＣチップを含む旧ＩＤカードのＩＣチップからＩＣチップ読込顔画像データを読取るＩＣチップ顔画像データ読取部と、ホストサーバからホストサーバ読取顔画像データを読取るホストサーバ顔画像データ読取部と、申請者を撮像して直接顔画像データを取得する直接撮像部と、申請書投入部に投入された顔画像付申請書の顔画像を撮像して持込顔画像データを取得する申請書撮像部、または持込顔画像データが直接入力される顔画像データ入力部と、申請書撮像部または顔画像データ入力部のいずれか、ＩＣチップ顔画像データ読取部、ホストサーバ顔画像データ読取部および直接撮像部に接続された制御部と、制御部に接続された表示部とを備え、制御部は申請書撮像部または顔画像データ入力部からの持込顔画像データと、ＩＣチップ顔画像データ読取部からのＩＣチップ読込顔画像データまたはホストサーバ顔画像データ読取部からのホストサーバ読取顔画像データとを比較して持込顔画像データの適否判定を行なう判定部と、判定部からの情報により持込顔画像データが適切であると判断した場合に表示部に持込顔画像データを表示し、持込顔画像データが不適切であると判断した場合に直接撮像部を作動させて直接顔画像データを取得するとともに、当該直接顔画像データを表示部に表示する表示制御部とを有することを特徴とするＩＤカード作成システムである。
【００１１】
本発明は、制御部には操作信号を出力する操作部が接続され、制御部は操作部からの操作信号に基づいて持込顔画像データまたは直接顔画像データを修正する修正部を更に有することを特徴とするＩＤカード作成システムである。
【発明の効果】
【００１２】
以上のように本発明によれば、申請者が顔画像データを予め準備するとともに、これを持込んだ場合、当該持込顔画像の適否判定を容易に行なうことができる。
【図面の簡単な説明】
【００１３】
【図１】図１は、本発明によるＩＤカード作成システムを示す概略図。
【図２】図２はＩＣカードの表面を示す図。
【図３】図３は本発明によるＩＤカード作成システムの作用を示すフローチャート。
【図４】図４は顔画像付申請書を示す図。
【図５】図５は本発明によるＩＤカード作成システムの作用の変形例を示すフローチャート。
【発明を実施するための形態】
【００１４】
以下、図１乃至図４を参照して本発明によるＩＤカード作成システムの一実施の形態について説明する。
【００１５】
はじめに図２を参照してＩＤカード、例えばＩＣカード１１１について説明する。
【００１６】
図２に示すように、本発明によるＩＤカード作成システムにより得られるＩＤカードは、ＩＣチップを含むＩＤカード１１１を更新して作成するものである。このようなＩＤカード１１１はカード基体１１１Ｂと、ＩＣチップ１１１Ａとを含む運転免許証のようなＩＣカードからなり、ＩＣカード１１１の表面１１１ａには氏名、住所を表示する文字、数字等からなる印字部１１２および顔画像１１３が設けられている。
【００１７】
次に図１によりＩＤカード作成システムについて説明する。
【００１８】
図１に示すように、ＩＤカード作成システム１０は、顔画像付申請書１（図４）が投入される申請書投入部１１と、申請書投入部１１に投入された顔画像付申請書１の有無を検出する検出センサ１４と、申請者を撮像して直接顔画像データを取得する直接撮像部１２と、申請書投入部１１に投入された顔画像付申請書１の顔画像２を撮像して（接写して）持込顔画像データを取得する申請書撮像部１３と、例えば顔画像データが予め記憶されたＵＳＢメモリ等が差し込まれ、持込顔画像データが直接入力される顔画像データ入力部１７と、ＩＣカード１１１のＩＣチップ１１１Ａから読取顔画像データを読み取るリーダライタ（Ｒ／Ｗ）等の顔画像データ読取部２４とを備えている。
【００１９】
この場合、申請書投入部１１に投入される顔画像付申請書１は、例えば、図４に示すように上方に顔画像２を有し、下方に氏名、住所等の文字３を有している。
【００２０】
また検出センサ１４は外部信号制御部１６を介して制御部２１に接続されている。また直接撮像部１２からの直接顔画像データ、申請書撮像部１３からの持込顔画像データ、顔画像データ入力部１７からの持込顔画像データおよび顔画像データ読取部２４からの読取顔画像データは制御部２１の画像取込部２１ａへ送られる。
【００２１】
さらにまた、申請書投入部１１に投入された顔画像付申請書１中の文字３を読み取る文字情報読取部（ＯＣＲ）１５が設けられ、文字情報読取部１５からの情報は制御部２１へ送られる。
【００２２】
さらにまた、制御部２１の画像取込部２１ａには、ホストサーバ顔画像データ読取部２８が接続され、このホストサーバ顔画像データ読取部２８はホストサーバ３０からホストサーバ顔画像データを読取り、このホストサーバ顔画像データを制御部２１の画像取込部２１ａへ送るようになっている。
【００２３】
また制御部２１は、申請書撮像部１３または顔画像データ入力部１７からの持込顔画像データ、顔画像データ読取部２４からの読取顔画像データ、および直接撮像部１２からの直接顔画像データを比較する判定部２１ｂを含んでいる。
【００２４】
さらに制御部２１は、判定部２１ｂからの情報に基づいて、申請書撮像部１３または顔画像データ入力部１７からの持込顔画像データ、あるいは直接撮像部１２からの直接顔画像データから、使用すべき顔画像データ、すなわち後述するプリンタ２３により印字すべき顔画像データを決定するデータ決定部２１ｃを含んでいる。
【００２５】
さらに制御部２１は判定部２１ｂからの情報に基づいて表示部２６で表示すべき適切な顔画像データを送る表示制御部２１ｅを含む。
【００２６】
さらに制御部２１には、持込顔画像データを表示する表示部２６と、操作信号を出力する操作部２７とが接続されている。
【００２７】
そして表示部２６に表示された持込顔画像データを見ながら操作部２７により操作することにより、制御部２１内に内蔵された修正部２１ｄによって持込顔画像データのトリミングなどの修正ができる。
【００２８】
また制御部２１には、入手した顔画像データおよび文字情報に基づいてＩＣカード１１１の表面１１１ａに印字部１１２および顔画像１１３を印字し、ＩＣカード１１１の裏面（図示せず）に印字部を印字することによりＩＣカード１１１を作成するプリンタ２３が接続されている。
【００２９】
次にこのような構成からなる本実施の形態の作用について図３により説明する。
【００３０】
まず申請者が持ち込み写真の採用を希望する場合、申請者は予め顔画像２を含む顔画像付申請書１を準備しておき、この顔画像付申請書１を申請書投入部１１に投入する。
【００３１】
申請書投入部１１に投入された顔画像付申請書１は、検出センサ１４により、申請書１中の顔画像の有無が検出される。
【００３２】
検出センサ１４により申請書１中の顔画像の存在が検出されると、検出センサ１４からの信号が外部信号制御部１６を介して制御部２１に送られる。
【００３３】
同時に申請書投入部１１に投入された顔画像付申請書１について、その文字３が文字情報読取部１５により読み取られ、文字情報読取部１５により読み取られた文字情報は制御部２１へ送られる。
【００３４】
その後、更新前の旧ＩＣカード１１１内に内蔵されたＩＣチップ１１１Ａから顔画像データ読取部（Ｒ／Ｗ）２４によって読取顔画像データが読み取られ、読み取られた読取顔画像データは制御部２１の画像取込部２１ａへ送られる。
【００３５】
次にホストサーバ読取顔画像データ読取部２８によりホストサーバ３０からホストサーバ読取顔画像データが読み取られ、このホストサーバ読取顔画像データは制御部２１の画像取込部２１ａへ送られる。
【００３６】
次に申請者に対して直接撮像部（カメラ）１２により直接撮像が行なわれて、この直接撮像部１２により直接顔画像データが入手される。直接撮像部１２からの直接顔画像データは制御部２１の画像取込部２１ａへ送られる。
【００３７】
次に制御部２１は検出センサ１４からの信号に基づいて申請書撮像部１３を作動させて申請書１中の顔画像を撮像して持込顔画像データを取得する。このようにして取得された持込顔画像データは制御部２１の画像取込部２１ａへ送られる。
【００３８】
一方、申請者は、例えば予め顔画像が記憶されたＵＳＢなどの記憶媒体を持込み、このＵＳＢなどの記憶媒体に記憶された顔画像の採用を希望することがある。
【００３９】
この場合、申請者は申請書１中に顔画像２を付すことなく、顔画像２のない申請書１が申請書投入部１１に投入され、申請書投入部１１に投入された申請書１の文字情報のみが文字情報読取部１５により読み取られ、文字情報は文字情報読取部１５から制御部２１の画像取込部２１ａへ送られる。
【００４０】
申請者は顔画像が記憶されたＵＳＢなどの記憶媒体を顔画像データ入力部１７に差し込み、顔画像データ入力部１７からの顔画像は制御部２１の画像取込部２１ａに送られる。
【００４１】
このようにして制御部２１の画像取込部２１ａには、申請書撮像部１３からの持込顔画像データまたは顔画像データ入力部１７からの持込顔画像データのいずれか一方の持込顔画像データ、顔画像データ読取部２４からの読取顔画像データ、直接撮像部１２からの直接顔画像データおよびホストサーバ顔画像データ読取部２８からのホストサーバ読取顔画像データが取込まれる。
【００４２】
次に制御部２１の判定部２１ｂにおいて、申請書撮像部１３または顔画像データ入力部１７のいずれか一方からの持込顔画像データと、顔画像データ読取部２４からの読取顔画像データと、直接撮像部１２からの直接顔画像データと、ホストサーバ顔画像データ読取部２８からのホストサーバ読取顔画像データとが比較されて、持込顔画像データの適否が判定される。
【００４３】
顔画像データ読取部２４からの読取顔画像データは、旧ＩＣカード１１１のＩＣチップ１１１Ａに内蔵された顔画像データであって新たにＩＣカード１１１を更新する際の基本となる顔画像データとなる。
【００４４】
従って、持込顔画像データがこの読取顔画像データと相違している場合、持込顔画像データは判定部２１ｂにおいてＮＧと判定される。また直接撮像部１２からの直接顔画像データと、旧ＩＣカード１１１のＩＣチップ１１１Ａに内蔵された読取顔画像データとを比較することにより、申請者の本人確認を行なうことができる。
【００４５】
なお、判定部２１ｂにおいて、申請書撮像部１３または顔画像データ入力部１７のいずれか一方からの持込顔画像データと、顔画像データ読取部２４からの読取顔画像データとを比較することにより持込顔画像データの適否のみを判定してもよく、この場合は判定部２１ｂにおいて、直接顔画像データを用いた本人確認は必ずしも行なう必要はない。
【００４６】
このように判定部２１ｂにおいて持込顔画像データの適否判定を行ない、持込顔画像データがＯＫと判断された場合、判定部２１ｂからの情報に基づいて、データ決定部２１ｃにおいて使用すべき顔画像データとして、持込顔画像データを使用することを決定する。
【００４７】
他方、判定部２１ｂにおける適否判定の結果、持込顔画像データがＮＧと判定された場合、判定部２１ｂからの情報に基づいてデータ決定部２１ｃにおいて、使用すべき顔画像データとして、直接撮像部１２からの直接顔画像データを用いることを決定する。
【００４８】
次にデータ決定部２１ｃにおいて持込顔画像データを使用する旨決定した場合、データ決定部２１ｃからの情報に基づいて表示制御部２１ｅが表示部２６を制御して持込顔画像データを表示部２６に表示させる。
【００４９】
次に申請場所の職員が、操作部２７を操作して、表示部２６に表示された持込顔画像データを見ながら持込顔画像データの修正を行なう。この場合、操作部２７からの操作信号が制御部２１へ送られ、操作部２７からの操作信号に基づいて、制御部２１の修正部２１ｄにおいて持込顔画像データが修正される。
【００５０】
具体的には持込顔画像データに対して、顔サイズの修正、画像に対するトリミング等の修正を加える。
【００５１】
同時に職員は、表示部２６に表示された持込顔画像データを見ながら、画像データのサイズ、目が隠れていないか、画像データ中に複数の顔がないか、画像データの顔がＩＤカードの写真として不適切か否か（笑っているか否か）等を検査して、持込顔画像データの適否を更に判定することもできる。
【００５２】
職員が持込顔画像データの使用は不適切と判断した場合、持込顔画像データの代わりに直接顔画像データを用いることができる。
【００５３】
他方、データ決定部２１ｃにおいて、直接顔画像データを使用する旨決定した場合、データ決定部２１ｃからの情報に基づいて表示制御部２１ｅが表示部２６を制御して直接顔画像データを表示部２６に表示させる。
【００５４】
次に申請場所の職員が操作部２７を操作して、表示部２６に表示された直接顔画像データを見ながら、直接顔画像データを修正する。この場合上述と同様の手法により、制御部２１の修正部２１ｄにおいて直接顔画像データが修正される。
【００５５】
次にデータ決定部２１ｃにおいてＩＣカード１１１の写真として用いることに決められた持込顔画像データ又は直接顔画像データのいずれか一方が、プリンタ２３から出力され、ＩＣカード１１１に対してプリンタ２３により印字が施されて更新されたＩＣカード１１１が生成される。
【００５６】
他方、申請者が持ち込み写真の採用を希望しない場合、申請者は顔画像を含まない申請書１を準備する。
【００５７】
この場合、ＩＤカード作成システム１０は通常のシステムと同様の作用を行なう。すなわちまず申請書１が申請書投入部１１に投入され、申請書１中の文字情報のみが文字情報読取部１５により読み取られる。
【００５８】
申請者はその後、直接撮像部１２において撮像され、直接撮像部１２からの直接顔画像データと、文字情報読取部１５からの文字情報が制御部２１へ送られ、制御部２１からの情報に基づいてプリンタ２３が作動して、更新されたＩＣカード１１１が生成される。
【００５９】
以上のように本実施の形態によれば、申請者が顔画像データを予め入手するとともに、これを持込んだ場合、持込顔画像データを旧ＩＣカード１１１のＩＣチップ１１１Ａ内に内蔵された基本となる顔画像データと比較することにより、持込顔画像データの適否をきわめて簡単に判定することができる。
【００６０】
なお、上記実施の形態において、持込顔画像データを取得する手段として、申請書撮像部１３および顔画像データ入力部１７を設置した例を示したが、これに限らず申請書撮像部１３および顔画像データ入力部１７のうち一方のみを設置して持込顔画像データを取得して制御部２１へ送ってもよい。
【００６１】
次に本発明によるＩＤカード作成システムの作用の変形例について、図５により説明する。
【００６２】
まず申請者が持ち込み写真の採用を希望する場合、申請者は予め顔画像２を含む顔画像付申請書１を準備しておき、この顔画像付申請書１を申請書投入部１１に投入する。
【００６３】
申請書投入部１１に投入された顔画像付申請書１は、検出センサ１４により、申請書１中の顔画像の有無が検出される。
【００６４】
検出センサ１４により申請書１中の顔画像の存在が検出されると、検出センサ１４からの信号が外部信号制御部１６を介して制御部２１に送られる。
【００６５】
同時に申請書投入部１１に投入された顔画像付申請書１について、その文字３が文字情報読取部１５により読み取られ、文字情報読取部１５により読み取られた文字情報は制御部２１へ送られる。
【００６６】
その後、更新前の旧ＩＣカード１１１内に内蔵されたＩＣチップ１１１Ａから顔画像データ読取部（Ｒ／Ｗ）２４によって読取顔画像データが読み取られ、読み取られた読取顔画像データは制御部２１の画像取込部２１ａへ送られる。
【００６７】
次にホストサーバ読取顔画像データ読取部２８によりホストサーバ３０からホストサーバ読取顔画像データが読み取られ、このホストサーバ読取顔画像データは制御部２１の画像取込部２１ａへ送られる。
【００６８】
次に制御部２１は検出センサ１４からの信号に基づいて申請書撮像部１３を作動させて申請書１中の顔画像を撮像して持込顔画像データを取得する。このようにして取得された持込顔画像データは制御部２１の画像取込部２１ａへ送られる。
【００６９】
一方、申請者は、例えば予め顔画像が記憶されたＵＳＢなどの記憶媒体を持込み、このＵＳＢなどの記憶媒体に記憶された顔画像の採用を希望することがある。
【００７０】
この場合、申請者は申請書１中に顔画像２を付すことなく、顔画像２のない申請書１が申請書投入部１１に投入され、申請書投入部１１に投入された申請書１の文字情報のみが文字情報読取部１５により読み取られ、文字情報は文字情報読取部１５から制御部２１の画像取込部２１ａへ送られる。
【００７１】
申請者は顔画像が記憶されたＵＳＢなどの記憶媒体を顔画像データ入力部１７に差し込み、顔画像データ入力部１７からの顔画像は制御部２１の画像取込部２１ａに送られる。
【００７２】
このようにして制御部２１の画像取込部２１ａには、申請書撮像部１３からの持込顔画像データまたは顔画像データ入力部１７からの持込顔画像データのいずれか一方の持込顔画像データ、顔画像データ読取部２４からの読取顔画像データ、およびホストサーバ顔画像データ読取部２８からのホストサーバ読取顔画像データが取込まれる。
【００７３】
次に制御部２１の判定部２１ｂにおいて、申請書撮像部１３または顔画像データ入力部１７のいずれか一方からの持込顔画像データと、顔画像データ読取部２４からの読取顔画像データと、ホストサーバ顔画像データ読取部２８からのホストサーバ読取顔画像データとが比較されて、持込顔画像データの適否が判定される。
【００７４】
顔画像データ読取部２４からの読取顔画像データは、旧ＩＣカード１１１のＩＣチップ１１１Ａに内蔵された顔画像データであって新たにＩＣカード１１１を更新する際の基本となる顔画像データとなる。
【００７５】
従って、持込顔画像データがこの読取顔画像データと相違している場合、持込顔画像データは判定部２１ｂにおいてＮＧと判定される。
【００７６】
なお、判定部２１ｂにおいて、申請書撮像部１３または顔画像データ入力部１７のいずれか一方からの持込顔画像データと、顔画像データ読取部２４からの読取顔画像データとを比較することにより持込顔画像データの適否のみを判定してもよく、この場合は判定部２１ｂにおいて、直接顔画像データを用いた本人確認は必ずしも行なう必要はない。
【００７７】
このように判定部２１ｂにおいて持込顔画像データの適否判定を行ない、持込顔画像データがＯＫと判断された場合、判定部２１ｂからの情報に基づいて、データ決定部２１ｃにおいて使用すべき顔画像データとして、持込顔画像データを使用することを決定する。
【００７８】
他方、判定部２１ｂにおける適否判定の結果、持込顔画像データがＮＧと判定された場合、判定部２１ｂからの情報に基づいてデータ決定部２１ｃにおいて、使用すべき顔画像データとして、直接撮像部１２からの直接顔画像データを用いることを決定する。
【００７９】
次にデータ決定部２１ｃにおいて持込顔画像データを使用する旨決定した場合、データ決定部２１ｃからの情報に基づいて表示制御部２１ｅが表示部２６を制御して持込顔画像データを表示部２６に表示させる。
【００８０】
次に申請場所の職員が、操作部２７を操作して、表示部２６に表示された持込顔画像データを見ながら持込顔画像データの修正を行なう。この場合、操作部２７からの操作信号が制御部２１へ送られ、操作部２７からの操作信号に基づいて、制御部２１の修正部２１ｄにおいて持込顔画像データが修正される。
【００８１】
具体的には持込顔画像データに対して、顔サイズの修正、画像に対するトリミング等の修正を加える。
【００８２】
同時に職員は、表示部２６に表示された持込顔画像データを見ながら、画像データのサイズ、目が隠れていないか、画像データ中に複数の顔がないか、画像データの顔がＩＤカードの写真として不適切か否か（笑っているか否か）等を検査して、持込顔画像データの適否を更に判定することもできる。
【００８３】
職員が持込顔画像データの使用は不適切と判断した場合、持込顔画像データの代わりに直接顔画像データを用いることができる。
【００８４】
他方、データ決定部２１ｃにおいて、持込顔画像データを不適切と判断した場合、データ決定部２１ｃからの情報に基づいて表示制御部２１ｅが直接撮像部（カメラ）１２を作動させ、直接撮像部１２により直接顔画像データが入手される。直接撮像部１２からの直接顔画像データは制御部１２の画像取込部２１ａへ送られる。表示制御部２１ｅは、その後この直接画像データを表示部２６に表示させる。
【００８５】
次に申請場所の職員が操作部２７を操作して、表示部２６に表示された直接顔画像データを見ながら、直接顔画像データを修正する。この場合上述と同様の手法により制御部２１の修正部２１ｄにおいて直接顔画像データが修正される。
【００８６】
次にデータ決定部２１ｃにおいてＩＣカード１１１の写真として用いることに決められた持込顔画像データ又は直接顔画像データのいずれか一方が、プリンタ２３から出力され、ＩＣカード１１１に対してプリンタ２３により印字が施されて更新されたＩＣカード１１１が生成される。
【００８７】
他方、申請者が持ち込み写真の採用を希望しない場合、申請者は顔画像を含まない申請書１を準備する。
【００８８】
この場合、ＩＤカード作成システム１０は通常のシステムと同様の作用を行なう。すなわちまず申請書１が申請書投入部１１に投入され、申請書１中の文字情報のみが文字情報読取部１５により読み取られる。
【００８９】
申請者はその後、直接撮像部１２において撮像され、直接撮像部１２からの直接顔画像データと、文字情報読取部１５からの文字情報が制御部２１へ送られ、制御部２１からの情報に基づいてプリンタ２３が作動して、更新されたＩＣカード１１１が生成される。
【００９０】
以上のように本実施の形態によれば、申請者が顔画像データを予め入手するとともに、これを持込んだ場合、持込顔画像データを旧ＩＣカード１１１のＩＣチップ１１１Ａ内に内蔵された基本となる顔画像データと比較することにより、持込顔画像データの適否をきわめて簡単に判定することができる。
【符号の説明】
【００９１】
１  顔画像付申請書
２  顔画像
１０  ＩＤカード作成システム
１１  申請書投入部
１２  直接撮像部
１３  申請書撮像部
１４  検出センサ
１５  文字情報読取部
１７  顔画像データ入力部
２１  制御部
２１ａ  画像取込部
２１ｂ  判定部
２１ｃ  データ決定部
２１ｄ  修正部
２１ｅ  表示制御部
２３  プリンタ
２６  表示部
２７  操作部
２８  ホストサーバ顔画像データ読取部
３０  ホストサーバ
【図１】
2014083704.tif 000003
【図２】
2014083704.tif 000004
【図３】
2014083704.tif 000005
【図４】
2014083704.tif 000006
【図５】
2014083704.tif 000007